(57)【要約】【課題】ユーザが両耳および片耳のどちらで音声信号を受聴する場合であっても、ユーザにとって違和感の無い音を出力することが可能な音響出力制御装置を実現する。【解決手段】音響出力制御部１０１は、第１装着検知信号ＫＬおよび第２装着検知信号ＫＲに基づいて、第１ヘッドホンＥＬおよび第２ヘッドホンＥＲの装着状態が、第１ヘッドホンＥＬおよび第２ヘッドホンＥＲの双方が人体に装着されている両耳装着状態、および第１ヘッドホンＥＬおよび第２ヘッドホンＥＲの一方が人体に装着され他方が人体に装着されていない片耳装着状態のいずれであるかを判別する。片耳装着状態であることが判別されたならば、音響出力制御部１０１は、左チャネル音声信号および右チャネル音声信号を合成することによってモノラル音声信号を生成し、当該生成したモノラル音声信号を第１ヘッドホンＥＬおよび第２ヘッドホンＥＲの少なくとも一方に出力する。【選択図】図１
2009152666.tif 000002
【特許請求の範囲】
【請求項１】
第１ヘッドホンおよび第２ヘッドホンにそれぞれ音声信号を出力する音響出力制御装置であって、
前記第１ヘッドホンから送信される、前記第１ヘッドホンが人体に装着されているか否かを示す第１装着検知信号と、前記第２ヘッドホンから送信される、前記第２ヘッドホンが人体に装着されているか否かを示す第２装着検知信号とに基づいて、前記第１ヘッドホンおよび前記第２ヘッドホンの装着状態が、前記第１ヘッドホンおよび前記第２ヘッドホンの双方が人体に装着されている第１の状態、および前記第１ヘッドホンおよび前記第２ヘッドホンの一方が人体に装着され他方が人体に装着されていない第２の状態のいずれであるかを判別し、前記第１ヘッドホンおよび前記第２ヘッドホンの装着状態が前記第１の状態である場合には、再生部から出力されるステレオ音声信号に含まれる、左チャネル音声信号および右チャネル音声信号を前記第１ヘッドホンおよび前記第２ヘッドホンにそれぞれ送信し、前記第１ヘッドホンおよび前記第２ヘッドホンの装着状態が前記第２の状態である場合には、前記左チャネル音声信号および前記右チャネル音声信号を合成することによってモノラル音声信号を生成し、当該生成したモノラル音声信号を前記第１ヘッドホンおよび前記第２ヘッドホンの前記一方に送信する出力制御手段を具備することを特徴とする音響出力制御装置。
【請求項２】
前記出力制御手段は、前記第１ヘッドホンおよび前記第２ヘッドホンの装着状態が前記第２の状態である場合、前記生成されたモノラル音声信号の音量を所定量変更した後に前記第１ヘッドホンおよび前記第２ヘッドホンの前記一方に送信するように構成されていることを特徴とする請求項１記載の音響出力制御装置。
【請求項３】
前記出力制御手段は、前記第１ヘッドホンおよび前記第２ヘッドホンの装着状態が前記第２の状態である場合、前記第１ヘッドホンおよび前記第２ヘッドホンの前記他方への前記モノラル音声信号の送信を禁止するように構成されていることを特徴とする請求項１記載の音響出力制御装置。
【請求項４】
前記出力制御手段は、前記第１装着検知信号の値が第１所定時間以上連続して閾値よりも高いことを条件に前記第１ヘッドホンが人体に装着されていると判別し、前記第１装着検知信号の値が前記第１所定時間以上連続して前記閾値以下であることを条件に前記第１ヘッドホンが人体に装着されていないと判別し、前記第２装着検知信号の値が第２所定時間以上連続して前記閾値よりも高いことを条件に前記第２ヘッドホンが人体に装着されていると判別し、前記第２装着検知信号の値が前記第２所定時間以上連続して前記閾値以下であることを条件に前記第２ヘッドホンが人体に装着されていないと判別するように構成されていることを特徴とする請求項１記載の音響出力制御装置。
【請求項５】
前記第１ヘッドホンおよび前記第２ヘッドホンの装着状態が前記第２の状態である期間中にユーザによって設定された音量設定値を格納する記憶部と、
前記第１ヘッドホンおよび前記第２ヘッドホンの装着状態が前記第１の状態から前記第２の状態に遷移した場合、前記記憶部に格納されている前記音量設定値を読み出し、前記生成されたモノラル音声信号の音量が前記読み出した前記音量設定値に調整されるように前記生成されたモノラル音声信号の音量を変更する音量変更手段とをさらに具備することを特徴とする請求項１記載の音響出力制御装置。
【請求項６】
第１ヘッドホンであって、前記第１ヘッドホンが人体に接触されたことを検知して前記第１ヘッドホンが人体に装着されているか否かを示す第１装着検知信号を出力する第１接触センサを含む第１ヘッドホンと、
第２ヘッドホンであって、前記第２ヘッドホンが人体に接触されたことを検知して前記第２ヘッドホンが人体に装着されているか否かを示す第２装着検知信号を出力する第２接触センサを含む第２ヘッドホンと、
前記第１装着検知信号と前記第２装着検知信号とに基づいて、前記第１ヘッドホンおよび前記第２ヘッドホンの装着状態が前記第１ヘッドホンおよび前記第２ヘッドホンの双方が人体に装着されている第１の状態、および前記第１ヘッドホンおよび前記第２ヘッドホンの一方が人体に装着され他方が人体に装着されていない第２の状態のいずれであるかを判別し、前記第１ヘッドホンおよび前記第２ヘッドホンの装着状態が前記第１の状態である場合には、再生部から出力されるステレオ音声信号に含まれる、左チャネル音声信号および右チャネル音声信号を前記第１ヘッドホンおよび前記第２ヘッドホンにそれぞれ送信し、前記第１ヘッドホンおよび前記第２ヘッドホンの装着状態が前記第２の状態である場合には、前記左チャネル音声信号および前記右チャネル音声信号を合成することによってモノラル音声信号を生成し、当該生成したモノラル音声信号を前記第１ヘッドホンおよび前記第２ヘッドホンの前記一方に送信する音響出力制御部とを具備することを特徴とする音響再生装置。
【請求項７】
前記音響出力制御部は、前記第１ヘッドホンおよび前記第２ヘッドホンの装着状態が前記第２の状態である場合、前記生成されたモノラル音声信号の音量を所定量変更した後に前記第１ヘッドホンおよび前記第２ヘッドホンの前記一方に送信するように構成されていることを特徴とする請求項６記載の音響再生装置。
【請求項８】
前記音響出力制御部は、前記再生部を含むプレーヤ装置内に設けられていることを特徴とする請求項６記載の音響再生装置。
【請求項９】
前記音響出力制御部は、
前記再生部を含むプレーヤ装置に取り外し自在に接続され、前記再生部から出力されるステレオ音声信号を受信し前記受信したステレオ音声信号を前記第１ヘッドホンおよび前記第２ヘッドホンにそれぞれ送信する付加デバイス内に設けられていることを特徴とする請求項６記載の音響再生装置。
【請求項１０】
前記付加デバイスは、前記第１ヘッドホンおよび前記第２ヘッドホンの装着状態が前記第２の状態である期間中にユーザによって設定された音量設定値を格納する記憶部を含み、
前記音響出力制御部は、前記第１ヘッドホンおよび前記第２ヘッドホンの装着状態が前記第１の状態から前記第２の状態に遷移した場合、前記記憶部に格納されている前記音量設定値を読み出し、前記生成されたモノラル音声信号の音量が前記読み出した前記音量設定値に調整されるように前記生成されたモノラル音声信号の音量を変更する音量変更手段を含むことを特徴とする請求項９記載の音響再生装置。
【請求項１１】
第１ヘッドホンおよび第２ヘッドホンにそれぞれ音声信号を出力する音響出力制御方法であって、
前記第１ヘッドホンから送信される、前記第１ヘッドホンが人体に装着されているか否かを示す第１装着検知信号と、前記第２ヘッドホンから送信される、前記第２ヘッドホンが人体に装着されているか否かを示す第２装着検知信号とに基づいて、前記第１ヘッドホンおよび前記第２ヘッドホンの装着状態が、前記第１ヘッドホンおよび前記第２ヘッドホンの双方が人体に装着されている第１の状態、および前記第１ヘッドホンおよび前記第２ヘッドホンの一方が人体に装着され他方が人体に装着されていない第２の状態のいずれであるかを判別するステップと、
前記第１ヘッドホンおよび前記第２ヘッドホンの装着状態が前記第１の状態である場合、再生部から出力されるステレオ音声信号に含まれる、左チャネル音声信号および右チャネル音声信号を前記第１ヘッドホンおよび前記第２ヘッドホンにそれぞれ送信するステップと、
前記第１ヘッドホンおよび前記第２ヘッドホンの装着状態が前記第２の状態である場合、前記左チャネル音声信号および前記右チャネル音声信号を合成することによってモノラル音声信号を生成し、当該生成したモノラル音声信号を前記第１ヘッドホンおよび前記第２ヘッドホンの前記一方に送信するステップとを具備することを特徴とする音響出力制御方法。
【請求項１２】
前記第１ヘッドホンおよび前記第２ヘッドホンの装着状態が前記第２の状態である場合、前記生成されたモノラル音声信号の音量を所定量変更するステップをさらに具備することを特徴とする請求項１１記載の音響出力制御方法。
【発明の詳細な説明】
【技術分野】
【０００１】
本発明は、第１ヘッドホンおよび第２ヘッドホンにそれぞれ音声信号を出力する音響出力制御装置、音響再生装置および音響出力制御方法に関する。
【背景技術】
【０００２】
近年、メディアプレーヤ、音楽プレーヤといった各種携帯型再生装置が開発されている。携帯型再生装置によって再生される、音楽のような音声信号の受聴には、通常、一対のヘッドホンが用いられる。一対のヘッドホンは左チャネル用のヘッドホンと右チャネル用のヘッドホンとを含む。ユーザは、これら２つのヘッドホンを左耳および右耳にそれぞれ装着することにより、ステレオ音声信号に対応する音を聴くことができる。
【０００３】
特許文献１には、ヘッドホンのイヤーパッド部分がユーザの耳に対してずれていることが検知された時にオーディオ信号の低域成分をブーストするオーディオ信号制御方法が開示されている。
【０００４】
また、特許文献２には、骨伝導スピーカ装置が開示されている。この骨伝導スピーカ装置は、骨伝導スピーカからの音漏れを防止するために、骨伝導スピーカが人体に接触しているか否かを判別し、非接触時には骨伝導スピーカへの電力供給を遮断する機能を有している。
【特許文献１】特開２００６−３０４０５２号公報
【特許文献２】特開２００７−８１６３３号公報
【発明の開示】
【発明が解決しようとする課題】
【０００５】
ところで、一般に、ステレオ音声信号はユーザの両耳で受聴することを前提として構成されており、左耳用の左チャネル音声信号と右耳用の右チャネル音声信号とを含んでいる。通常、左チャネル音声信号には右チャネル音声信号には含まれていない音声信号成分が含まれ、また右チャネル音声信号には左チャネル音声信号には含まれていない音声信号成分が含まれていることが多い。したがって、もし左チャネル音声信号および右チャネル音声信号の内の一方のチャンネルの音声信号のみをユーザが片方の耳で受聴すると、ユーザにとっては違和感のある音が聞こえることがある。
【０００６】
したがって、ユーザが両耳および片耳のどちらで音声信号を受聴する場合であっても、ユーザにとって違和感の無い音を出力することが可能な新たな機能を実現することが必要である。
【０００７】
本発明は上述の事情を考慮してなされたものであり、ユーザが両耳および片耳のどちらで音声信号を受聴する場合であっても、ユーザにとって違和感の無い音を出力することが可能な音響出力制御装置、音響再生装置、および音響出力制御を提供することを目的とする。
【課題を解決するための手段】
【０００８】
上述の課題を解決するため、本発明は、第１ヘッドホンおよび第２ヘッドホンにそれぞれ音声信号を出力する音響出力制御装置であって、前記第１ヘッドホンから送信される、前記第１ヘッドホンが人体に装着されているか否かを示す第１装着検知信号と、前記第２ヘッドホンから送信される、前記第２ヘッドホンが人体に装着されているか否かを示す第２装着検知信号とに基づいて、前記第１ヘッドホンおよび前記第２ヘッドホンの装着状態が、前記第１ヘッドホンおよび前記第２ヘッドホンの双方が人体に装着されている第１の状態、および前記第１ヘッドホンおよび前記第２ヘッドホンの一方が人体に装着され他方が人体に装着されていない第２の状態のいずれであるかを判別し、前記第１ヘッドホンおよび前記第２ヘッドホンの装着状態が前記第１の状態である場合には、再生部から出力されるステレオ音声信号に含まれる、左チャネル音声信号および右チャネル音声信号を前記第１ヘッドホンおよび前記第２ヘッドホンにそれぞれ送信し、前記第１ヘッドホンおよび前記第２ヘッドホンの装着状態が前記第２の状態である場合には、前記左チャネル音声信号および前記右チャネル音声信号を合成することによってモノラル音声信号を生成し、当該生成したモノラル音声信号を前記第１ヘッドホンおよび前記第２ヘッドホンの前記一方に送信する出力制御手段を具備することを特徴とする。
【０００９】
また、本発明の音響再生装置は、第１ヘッドホンであって、前記第１ヘッドホンが人体に接触されたことを検知して前記第１ヘッドホンが人体に装着されているか否かを示す第１装着検知信号を出力する第１接触センサを含む第１ヘッドホンと、第２ヘッドホンであって、前記第２ヘッドホンが人体に接触されたことを検知して前記第２ヘッドホンが人体に装着されているか否かを示す第２装着検知信号を出力する第２接触センサを含む第２ヘッドホンと、前記第１装着検知信号と前記第２装着検知信号とに基づいて、前記第１ヘッドホンおよび前記第２ヘッドホンの装着状態が前記第１ヘッドホンおよび前記第２ヘッドホンの双方が人体に装着されている第１の状態、および前記第１ヘッドホンおよび前記第２ヘッドホンの一方が人体に装着され他方が人体に装着されていない第２の状態のいずれであるかを判別し、前記第１ヘッドホンおよび前記第２ヘッドホンの装着状態が前記第１の状態である場合には、再生部から出力されるステレオ音声信号に含まれる、左チャネル音声信号および右チャネル音声信号を前記第１ヘッドホンおよび前記第２ヘッドホンにそれぞれ送信し、前記第１ヘッドホンおよび前記第２ヘッドホンの装着状態が前記第２の状態である場合には、前記左チャネル音声信号および前記右チャネル音声信号を合成することによってモノラル音声信号を生成し、当該生成したモノラル音声信号を前記第１ヘッドホンおよび前記第２ヘッドホンの前記一方に送信する音響出力制御部とを具備することを特徴とする。
【００１０】
また、本発明は、第１ヘッドホンおよび第２ヘッドホンにそれぞれ音声信号を出力する音響出力制御方法であって、前記第１ヘッドホンから送信される、前記第１ヘッドホンが人体に装着されているか否かを示す第１装着検知信号と、前記第２ヘッドホンから送信される、前記第２ヘッドホンが人体に装着されているか否かを示す第２装着検知信号とに基づいて、前記第１ヘッドホンおよび前記第２ヘッドホンの装着状態が、前記第１ヘッドホンおよび前記第２ヘッドホンの双方が人体に装着されている第１の状態、および前記第１ヘッドホンおよび前記第２ヘッドホンの一方が人体に装着され他方が人体に装着されていない第２の状態のいずれであるかを判別するステップと、前記第１ヘッドホンおよび前記第２ヘッドホンの装着状態が前記第１の状態である場合、再生部から出力されるステレオ音声信号に含まれる、左チャネル音声信号および右チャネル音声信号を前記第１ヘッドホンおよび前記第２ヘッドホンにそれぞれ送信するステップと、前記第１ヘッドホンおよび前記第２ヘッドホンの装着状態が前記第２の状態である場合、前記左チャネル音声信号および前記右チャネル音声信号を合成することによってモノラル音声信号を生成し、当該生成したモノラル音声信号を前記第１ヘッドホンおよび前記第２ヘッドホンの前記一方に送信するステップとを具備することを特徴とする。
【発明の効果】
【００１１】
本発明によれば、ユーザが両耳および片耳のどちらで音声信号を受聴する場合であっても、ユーザにとって違和感の無い音を出力することが可能となる。
【発明を実施するための最良の形態】
【００１２】
以下、図面を参照して、本発明の実施形態を説明する。  
まず、図１を参照して、本発明の一実施形態に係る音響再生装置の構成例を説明する。この音響再生装置１００は、再生部１０２によって再生される音声信号に対応する音を出力するための装置である。この音響再生装置１００は、一対のヘッドホンＥＬ，ＥＲと、音響出力制御部１０１とを含んでいる。
【００１３】
再生部１０２は、ステレオ音声信号を出力する。このステレオ音声信号は、左チャネル音声信号ＣＬｉｎと右チャネル音声信号ＣＲｉｎとを含んでいる。ステレオ音声信号は、例えば、（１）マイクロフォンから出力された音声信号、（２）磁気テープ、光ディスク、メモリ等の記録媒体から再生された音声信号、または（３）テレビジョン、またはラジオから出力される音声信号等である。一例としては、再生部１０２は、記録媒体に格納されたオーディオデータを再生するプレーヤ装置として実現し得る。記録媒体に格納されたオーディオデータは、例えば、ステレオ録音されたステレオオーディオソースである。この場合、再生部１０２はオーディオデータを再生することによってそのオーディオデータに対応するステレオ音声信号（左チャネル音声信号ＣＬｉｎ、右チャネル音声信号ＣＲｉｎ）を出力する。このステレオ音声信号（左チャネル音声信号ＣＬｉｎ、右チャネル音声信号ＣＲｉｎ）は、音響出力制御部１０１に供給される。
【００１４】
ヘッドホンＥＬは、例えば、左チャネル音声信号に対応する音を出力する第１ヘッドホン（イヤホンと称されることもある）であり、左耳に装着して使用される。ヘッドホンＥＲは、例えば、右チャネル音声信号に対応する音を出力する第２ヘッドホン（イヤホンと称されることもある）であり、右耳に装着して使用される。これらヘッドホンＥＬ，ＥＲは、ステレオ音声信号に対応する音を出力するために使用される。
【００１５】
音響出力制御部１０１は、第１ヘッドホンＥＬおよび第２ヘッドホンＥＲにそれぞれ音声信号を出力する音響出力制御装置として機能する。この音響出力制御部１０１は、ステレオ出力モードおよびモノラル出力モードの２つの動作モード有している。
【００１６】
ステレオ出力モードとモノラル出力モードとの間の動作モードの切り替えは、第１ヘッドホンＥＬから送信される第１装着検知信号ＫＬと、第２ヘッドホンＥＲから送信される第２装着検知信号ＫＲとに基づいて実行される。第１装着検知信号ＫＬは、第１ヘッドホンＥＬが人体に装着されているか否かを示す信号である。また、第２装着検知信号ＫＲは、第２ヘッドホンＥＲが人体に装着されているか否かを示す信号である。
【００１７】
音響出力制御部１０１は、第１装着検知信号ＫＬおよび第２装着検知信号ＫＲに基づいて、第１ヘッドホンＥＬおよび第２ヘッドホンＥＲの装着状態が、第１ヘッドホンＥＬおよび第２ヘッドホンＥＲの双方が人体に装着されている第１の状態（両耳装着状態）、および第１ヘッドホンＥＬおよび第２ヘッドホンＥＲの一方が人体に装着され他方が人体に装着されていない第２の状態（片耳装着状態）のいずれであるかを判別する。
【００１８】
両耳装着状態であることが判別されたならば、音響出力制御部１０１は、ステレオ出力モードを選択し、このステレオ出力モードで動作する。一方、片耳装着状態であることが判別されたならば、音響出力制御部１０１は、モノラル出力モードを選択し、このモノラル出力モードで動作する。
【００１９】
ステレオ出力モードは、ステレオ音声信号に対応する音を出力するためのモードである。ステレオ出力モードにおいては、音響出力制御部１０１は、再生部１０２から出力されるステレオ音声信号に含まれる左チャネル音声信号および右チャネル音声信号を第１ヘッドホンＥＬおよび第２ヘッドホンＥＲにそれぞれ送信する。具体的には、音響出力制御部１０１は、再生部１０２から入力される左チャネル音声信号ＣＬｉｎを左チャネル音声出力信号ＣＬｏｕｔとして第１ヘッドホンＥＬに送信する。例えば、左チャネル音声出力信号ＣＬｏｕｔは、再生部１０２から入力される左チャネル音声信号ＣＬｉｎと等しい信号である。さらに、音響出力制御部１０１は、再生部１０２から入力される右チャネル音声信号ＣＲｉｎを右チャネル音声出力信号ＣＲｏｕｔとして第２ヘッドホンＥＲに送信する。例えば、右チャネル音声出力信号ＣＲｏｕｔは、再生部１０２から入力される右チャネル音声信号ＣＲｉｎと等しい信号である。
【００２０】
モノラル出力モードは、モノラル音声信号に対応する音を出力するためのモードである。モノラル出力モードにおいては、音響出力制御部１０１は、再生部１０２から入力される左チャネル音声信号ＣＬｉｎと再生部１０２から入力される右チャネル音声信号ＣＲｉｎとを合成（ミックス）することによって、モノラル音声信号を生成する。そして、音響出力制御部１０１は、生成したモノラル音声信号を第１ヘッドホンＥＬおよび第２ヘッドホンＥＲの少なくとも一方に送信する。モノラル音声信号は第１ヘッドホンＥＬおよび第２ヘッドホンＥＲの双方にそれぞれ送信しても良いが、第１ヘッドホンＥＬおよび第２ヘッドホンＥＲの中から選択された一方のヘッドホンのみに送信してもよい。例えば、第１ヘッドホンＥＬおよび第２ヘッドホンＥＲの内で、人体に装着されている方のヘッドホンを選択し、その選択したヘッドホンのみにモノラル音声信号を送信してもよい。
【００２１】
一般に、ステレオ録音された音源に含まれる、左チャネル音声信号（ＳＬ）と右チャネル音声信号（ＳＲ）は、互いに相関のない信号（ＳＬ≠ＳＲ）である場合が多い。もし、このように相関のない２つの信号の一方のみを片方の耳だけで受聴すると、ユーザは、左右の耳で左チャネル音声信号（ＳＬ）および右チャネル音声信号（ＳＲ）をそれぞれ受聴する場合に比し、違和感を受けやすくなる。本実施形態では、両耳装着状態から片耳装着状態への遷移が検出された時に、音響出力制御部１０１の動作モードはステレオ出力モードからモノラル出力モードに自動的に変更される。したがって、もし第１ヘッドホンＥＬおよび第２ヘッドホンＥＲの一方がユーザの耳から取り外されたならば、音響出力制御部１０１から出力される音声信号はステレオ音声信号からモノラル音声信号に自動的に変更される。よって、ユーザが両耳および片耳のどちらで音声信号を受聴する場合であっても、ユーザにとって違和感の無い音を出力することができる。
【００２２】
また、聴きやすい音量も、両耳で受聴する場合と片方の耳のみで受聴する場合とでは異なる場合がある。したがって、音響出力制御部１０１は、モノラル出力モードにおいては、モノラル音声信号を生成および送信するのみならず、生成したモノラル音声信号の音量を所定量だけ自動的に変更する音量自動調整機能も有している。これにより、ユーザにとってより聞きやすい音を出力することができる。
【００２３】
第１ヘッドホンＥＬには、第１ヘッドホンＥＬが人体に接触されたことを検知するための第１接触センサＨＬが設けられている。第１接触センサＨＬは、第１ヘッドホンＥＬが人体に接触されているか否かを検知し、その検知結果に応じて、上述の第１装着検知信号ＫＬを出力する。第１接触センサＨＬは、第１ヘッドホンＥＬのボディ上の所定位置に設けられている。具体的には、図２に示されているように、第１接触センサＨＬは、第１ヘッドホンＥＬが耳に装着されたときに、耳に接触する、第１ヘッドホンＥＬのボディ上の所定位置に設けられている。
【００２４】
第１接触センサＨＬは、人体のような物体との接触を検出し得るデバイス、例えば静電センサ、感圧センサ、などから構成することができる。第１接触センサＨＬが例えば静電センサから構成されている場合、第１接触センサＨＬが耳に触れると、第１接触センサＨＬの静電容量が変化し、これによって第１装着検知信号ＫＬの電圧値が変化する。よって、音響出力制御部１０１は、第１装着検知信号ＫＬの電圧値を監視することにより、第１ヘッドホンＥＬが耳に装着されているか否かを判別することができる。
【００２５】
第２ヘッドホンＥＲには、第２ヘッドホンＥＲが人体に接触されたことを検知するための第２接触センサＨＲが設けられている。第２接触センサＨＲは、第２ヘッドホンＥＲが人体に接触されているか否かを検知し、その検知結果に応じて、上述の第２装着検知信号ＫＲを出力する。第２接触センサＨＲは、第２ヘッドホンＥＲのボディ上の所定位置に設けられている。具体的には、第２接触センサＨＲは、第２ヘッドホンＥＲが耳に装着されたときに、耳に接触する、第２ヘッドホンＥＲのボディ上の所定位置に設けられている。
【００２６】
第２接触センサＨＲも、第１接触センサＨＬと同じく、人体のような物体との接触を検出し得るデバイス、例えば静電センサ、感圧センサ、などから構成することができる。第２接触センサＨＲが例えば静電センサから構成されている場合、第２接触センサＨＲが耳に触れると、第２接触センサＨＲの静電容量が変化し、これによって第２装着検知信号ＫＲの電圧値が変化する。よって、音響出力制御部１０１は、第２装着検知信号ＫＲの電圧値を監視することにより、第２ヘッドホンＥＲが耳に装着されているか否かを判別することができる。
【００２７】
図３には、音響再生装置１００の具体的な構成の第１の例が示されている。
【００２８】
図３においては、音響出力制御部１０１は、再生部１０２を含むプレーヤ装置１０内に設けられている。プレーヤ装置１０は、記録媒体に格納されたオーディオデータを再生するデバイスであり、例えば、メディアプレーヤ、ＭＰ３プレーヤ、ＩＣレコーダ、等から構成されている。音響出力制御部１０１は、ヘッドホンコネクタ１０３と再生部１０２との間に設けられている。ヘッドホンコネクタ１０３は、一対のヘッドホンＥＬ，ＥＲをプレーヤ装置１０に接続するためのコネクタ（例えばヘッドホンジャック）である。一対のヘッドホンＥＬ，ＥＲは、例えば、ケーブル１１およびヘッドホンプラグを介して、ヘッドホンコネクタ１０３に接続される。ヘッドホンコネクタ１０３は、左チャネル音声出力信号ＣＬｏｕｔ、右チャネル音声出力信号ＣＲｏｕｔがそれぞれ割り当てられた２つの信号出力ピンに加え、第１装着検知信号ＫＬ、および第２装着検知信号ＫＲがそれぞれ割り当てられた２つの信号入力ピンを有している。第１装着検知信号ＫＬ、および第２装着検知信号ＫＲは、ヘッドホンＥＬ，ＥＲからケーブル１１を介してプレーヤ装置１０内の音響出力制御部１０１に供給される。なお、第１装着検知信号ＫＬおよび第２装着検知信号ＫＲを、ヘッドホンＥＬ，ＥＲからそれぞれ無線信号によって音響出力制御部１０１に送信することも可能である。
【００２９】
図４には、音響再生装置１００の具体的な構成の第２の例が示されている。
【００３０】
図４においては、音響出力制御部１０１は、再生部１０２を含むプレーヤ装置１０に対して取り外し自在に接続される付加デバイス１２内に設けられている。付加デバイス１２は、再生部１０２から出力されるステレオ音声信号を受信し、この受信したステレオ音声信号をヘッドホンＥＬ，ＥＲにそれぞれ送信する外部デバイスである。付加デバイス１２は、プレーヤ装置１０内の再生部１０２による音声再生動作（再生、停止、曲選択、等）を制御する機能、および音量調整機能等を有するリモートコントロールユニットとして実現しても良い。
【００３１】
付加デバイス１２内には、上述の音響出力制御部１０１に加え、２つのコネクタ１０５，１０６が設けられている。一対のヘッドホンＥＬ，ＥＲ側のコネクタ１０５には、左チャネル音声出力信号ＣＬｏｕｔ、右チャネル音声出力信号ＣＲｏｕｔ、第１装着検知信号ＫＬ、および第２装着検知信号ＫＲが割り当てられている。一対のヘッドホンＥＬ，ＥＲは、ケーブル１１およびヘッドホンプラグを介して、付加デバイス１２のコネクタ１０５に接続される。
【００３２】
プレーヤ装置１０側のコネクタ１０６には、左チャネル音声信号ＣＬｉｎと右チャネル音声信号ＣＲｉｎとが割り当てられている。コネクタ１０６は、ケーブル１３およびヘッドホンプラグを介して、プレーヤ装置１０に設けられたコネクタ１０４に接続される。
【００３３】
付加デバイス１２が上述のリモートコントロールユニットとして実現されている場合においては、付加デバイス１２は、操作部１０７をさらに有する。また、音響出力制御部１０１は、ユーザによる操作部１０７の操作に応じて、プレーヤ装置１０の再生動作及び再生されるステレオ音声信号の音量を遠隔制御するための制御信号Ｃｏｎｔを出力する。音響出力制御部１０１からの制御信号Ｃｏｎｔは、コネクタ１０６、ケーブル１３、コネクタ１０４を介して再生部１０２に送られる。
【００３４】
図５は、第１装着検知信号ＫＬおよび第２装着検知信号ＫＲを無線信号によってヘッドホンＥＬ，ＥＲから音響出力制御部１０１に送信するための構成例を示している。
【００３５】
第１ヘッドホンＥＬには、無線通信を実行するための無線通信部２０１が内蔵されている。無線通信部２０１は、第１接触センサＨＬから出力される第１装着検知信号ＫＬを無線信号（ＲＦ信号）によって送信する。第２ヘッドホンＥＲにも、無線通信を実行するための無線通信部２０２が内蔵されている。この無線通信部２０２は、第２接触センサＨＲから出力される第２装着検知信号ＫＲを無線信号（ＲＦ信号）によって送信する。
【００３６】
音響出力制御部１０１側にも無線通信部１１０が設けられている。この無線通信部１１０は、無線通信部２０１，２０２の各々との無線通信を実行することによって、第１装着検知信号ＫＬおよび第２装着検知信号ＫＲをヘッドホンＥＬ，ＥＲからそれぞれ受信する。無線通信部１１０によって受信された第１装着検知信号ＫＬおよび第２装着検知信号ＫＲは、音響出力制御部１０１に送られる。
【００３７】
音響出力制御部１０１を図３で説明したようにプレーヤ装置１０内に設ける構成においては、無線通信部１１０もプレーヤ装置１０内に設けることができる。
【００３８】
また、音響出力制御部１０１を図４で説明したようにプレーヤ装置１０外部の付加デバイス１２内に設ける構成においては、無線通信部１１０も付加デバイス１２内に設けることができる。
【００３９】
無線通信部２０１，２０２，１０３の各々は、例えば、Bluetooth(登録商標)モジュールによって実現し得る。
【００４０】
図６は、第１装着検知信号ＫＬおよび第２装着検知信号ＫＲの各々の電圧変化の例を示している。
【００４１】
第１接触センサＨＬが人体に接触すると、第１装着検知信号ＫＬの電圧値は閾値Ｔｈよりも高くなる。また、第１接触センサＨＬが人体から離れると、第１装着検知信号ＫＬの電圧値は閾値Ｔｈ以下となる。同様に、第２接触センサＨＲが人体に接触すると、第２装着検知信号ＫＲの電圧値は閾値Ｔｈよりも高くなる。また、第２接触センサＨＲが人体から離れると、第２装着検知信号ＫＲの電圧値は閾値Ｔｈ以下となる。
【００４２】
次に、図７のフローチャートを参照して、音響出力制御部１０１の動作モードをステレオ出力モードとモノラル出力モードとの間で切り替える音響出力制御方法について説明する。
【００４３】
音響再生装置１００が電源ＯＮされると（ステップＳ１０１）、音響出力制御部１０１は、第１ヘッドホンＥＬから送信される第１装着検知信号ＫＬと、第２ヘッドホンＥＲから送信される第２装着検知信号ＫＲとに基づいて、第１ヘッドホンＥＬおよび第２ヘッドホンＥＲの装着状態が、第１ヘッドホンＥＬおよび第２ヘッドホンＥＲの双方が人体に装着されている第１の状態（両耳装着状態）、および第１ヘッドホンＥＬおよび第２ヘッドホンＥＲの一方が人体に装着され他方が人体に装着されていない第２の状態（片耳装着状態）のいずれであるかを判別する（ステップＳ１０２）。
【００４４】
両耳装着状態であれば、音響出力制御部１０１は、ステレオ出力モード（または単にステレオモードとも云う）を選択する（ステップＳ１０３）。この場合、音響出力制御部１０１は、再生部１０２からのステレオ音声信号（左チャネル音声信号および右チャネル音声信号）を第１ヘッドホンＥＬおよび第２ヘッドホンＥＲにそれぞれ送信する。
【００４５】
片耳装着状態であれば、音響出力制御部１０１は、モノラル出力モード（または単にモノラルモードとも云う）を選択する（ステップＳ１０５）。この場合、音響出力制御部１０１は、再生部１０２からのステレオ音声信号に含まれる左チャネル音声信号と右チャネル音声信号とを合成することによってモノラル音声信号を生成し、このモノラル音声信号を第１ヘッドホンＥＬおよび第２ヘッドホンＥＲの少なくとも一方に送信する。モノラル音声信号は第１ヘッドホンＥＬおよび第２ヘッドホンＥＲの双方にそれぞれ送信しても良いが、第１ヘッドホンＥＬおよび第２ヘッドホンＥＲの中から選択された一方のヘッドホンのみに送信してもよい。例えば、第１ヘッドホンＥＬおよび第２ヘッドホンＥＲの内で、人体に装着されている方のヘッドホンを選択し、その選択したヘッドホンのみにモノラル音声信号を送信してもよい。これにより、人体に装着されていない方のヘッドホンからの音漏れを防止することができる。
【００４６】
ステレオ出力モードおよびモノラル出力モードのいずれの動作モードにおいても、音響出力制御部１０１は、第１装着検知信号ＫＬおよび第２装着検知信号ＫＲを監視し続ける。
【００４７】
音響出力制御部１０１がステレオ出力モードで動作している期間中においては、音響出力制御部１０１は、第１装着検知信号ＫＬおよび第２装着検知信号ＫＲに基づいて、両耳装着状態から片耳装着状態への遷移が発生するか否かを判別する（ステップＳ１０４）。
【００４８】
両耳装着状態から片耳装着状態への遷移の発生が検出されたならば（ステップＳ１０４のＹＥＳ）、音響出力制御部１０１は、モノラル出力モードを選択して、動作モードをステレオ出力モードからモノラル出力モードに切り替える（ステップＳ１０５）。
【００４９】
音響出力制御部１０１がモノラル出力モードで動作している期間中においては、音響出力制御部１０１は、第１装着検知信号ＫＬおよび第２装着検知信号ＫＲに基づいて、片耳装着状態から両耳装着状態への遷移が発生するか否かを判別する（ステップＳ１０６）。
【００５０】
片耳装着状態から両耳装着状態への遷移の発生が検出されたならば（ステップＳ１０６のＹＥＳ）、音響出力制御部１０１は、ステレオ出力モードを選択して、動作モードをモノラル出力モードからステレオ出力モードに切り替える（ステップＳ１０３）。
【００５１】
図８は、音響出力制御部１０１の構成例を示している。
【００５２】
音響出力制御部１０１は、タイマ７１、比較部７２、比較部７３、タイマ７４、切り替え制御部７５、およびステレオ／モノラル切り替え部７６を備えている。
【００５３】
比較部７２は、第１装着検知信号ＫＬの値がタイマ７１によって与えられる第１所定時間以上連続して閾値Ｔｈよりも高いことを条件に第１ヘッドホンＥＬが人体に装着されていると判別するために、第１装着検知信号ＫＬの値が閾値Ｔｈを超えてからの経過時間と、タイマ７１によって与えられる第１所定時間とを比較する。第１装着検知信号ＫＬの値がタイマ７１によって与えられる第１所定時間以上連続して閾値Ｔｈよりも高いならば、比較部７２は、論理“１”の制御信号ＰＬを出力する。論理“１”の制御信号ＰＬは、第１ヘッドホンＥＬが人体に装着されていることを示す。第１所定時間は、約１秒から約３秒までの間の時間、たとえば、約２秒に設定することができる。
【００５４】
また、比較部７２は、第１装着検知信号ＫＬの値が第１所定時間以上連続して閾値Ｔｈ以下であることを条件に第１ヘッドホンＥＬが人体に装着されていないと判別するために、第１装着検知信号ＫＬの値が閾値Ｔｈ以下になってからの経過時間と、第１所定時間とを比較する。第１装着検知信号ＫＬの値が第１所定時間以上連続して閾値Ｔｈ以下であるならば、比較部７２は、論理“０”の制御信号ＰＬを出力する。論理“０”の制御信号ＰＬは、第１ヘッドホンＥＬが人体に装着されていないことを示す。
【００５５】
比較部７３は、第２装着検知信号ＫＲの値がタイマ７４によって与えられる第２所定時間以上連続して閾値Ｔｈよりも高いことを条件に第２ヘッドホンＥＲが人体に装着されていると判別するために、第２装着検知信号ＫＲの値が閾値Ｔｈを超えてからの経過時間と、タイマ７４によって与えられる第２所定時間とを比較する。第２装着検知信号ＫＲの値がタイマ７４によって与えられる第２所定時間以上連続して閾値Ｔｈよりも高いならば、比較部７３は、論理“１”の制御信号ＰＲを出力する。論理“１”の制御信号ＰＲは、第２ヘッドホンＥＲが人体に装着されていることを示す。第２所定時間としては、例えば、第１所定時間と同じ値を用いてもよい。
【００５６】
また、比較部７３は、第２装着検知信号ＫＲの値が第２所定時間以上連続して閾値Ｔｈ以下であることを条件に第２ヘッドホンＥＲが人体に装着されていないと判別するために、第２装着検知信号ＫＲの値が閾値Ｔｈ以下になってからの経過時間と、第２所定時間とを比較する。第２装着検知信号ＫＲの値が第２所定時間以上連続して閾値Ｔｈ以下であるならば、比較部７３は、論理“０”の制御信号ＰＲを出力する。論理“０”の制御信号ＰＲは、第２ヘッドホンＥＲが人体に装着されていないことを示す。
【００５７】
このような構成により、装着状態／非装着状態の検出感度が過敏になり過ぎることを防止することが出来、ステレオモードとモノラルモードとの間の切替の多発を防ぐことが出来る。
【００５８】
切り替え制御部７５は、制御信号ＰＬと制御信号ＰＲとに基づいて、第１ヘッドホンＥＬおよび第２ヘッドホンＥＲの装着状態が、両耳装着状態または片耳装着状態のいずれであるかを判別する。具体的には、制御信号ＰＬと制御信号ＰＲの双方が論理“１”である場合には、切り替え制御部７５は、論理“１”の切り替え制御信号ＰＴをステレオ／モノラル切り替え部７６に出力する。論理“１”の切り替え制御信号ＰＴは、両耳装着状態であることを示す。制御信号ＰＬと制御信号ＰＲのいずれか一方が論理“０”である場合には、切り替え制御部７５は、論理“０”の切り替え制御信号ＰＴをステレオ／モノラル切り替え部７６に出力する。論理“０”の切り替え制御信号ＰＴは、片耳装着状態であることを示す。
【００５９】
ステレオ／モノラル切り替え部７６は、切り替え制御信号ＰＴに応じて、ステレオ音声信号およびモノラル音声信号の一方を一対のヘッドホンＥＬおよびＥＲに送信する。具体的には、切り替え制御信号ＰＴが論理“１”である期間中は、ステレオ／モノラル切り替え部７６は、再生部１０２から入力される左チャネル音声信号ＣＬｉｎを左チャネル音声出力信号ＣＬｏｕｔとして第１ヘッドホンＥＬに送信すると共に、再生部１０２から入力される右チャネル音声信号ＣＲｉｎを右チャネル音声出力信号ＣＲｏｕｔとして第２ヘッドホンＥＲに送信する。切り替え制御信号ＰＴが論理“０”である期間中は、ステレオ／モノラル切り替え部７６は、左チャネル音声信号ＣＬｉｎと右チャネル音声信号ＣＲｉｎとを合成（ミックス）することによってモノラル音声信号を生成し、生成したモノラル音声信号を第１ヘッドホンＥＬおよび第２ヘッドホンＥＲの少なくとも一方に送信する。
【００６０】
図９は、ステレオ／モノラル切り替え部７６の概略図である。
【００６１】
ステレオ／モノラル切り替え部７６は、左チャネル音声信号ＣＬｉｎ、右チャネル音声信号ＣＲｉｎ、左チャネル音声出力信号ＣＬｏｕｔ、右チャネル音声出力信号ＣＲｏｕｔそれぞれに対応する４つのスイッチＳｗ１〜スイッチＳｗ４と、加算部８１とを含んでいる。
【００６２】
４つのスイッチＳｗ１〜スイッチＳｗ４の各々は、切り替え制御信号ＰＴが論理“１”の時、ステレオ端子（Ｓｔ）側に接続される。この場合、左チャネル音声信号ＣＬｉｎは左チャネル音声出力信号ＣＬｏｕｔとして第１ヘッドホンＥＬに送信され、右チャネル音声信号ＣＲｉｎは右チャネル音声出力信号ＣＲｏｕｔとして第２ヘッドホンＥＲに送信される。
【００６３】
４つのスイッチＳｗ１〜スイッチＳｗ４の各々は、切り替え制御信号ＰＴが論理“０”の時、モノラル端子（Ｍｏ）側に接続される。この場合、左チャネル音声信号ＣＬｉｎおよび右チャネル音声信号ＣＲｉｎは加算部８１に送られる。加算部８１は、左チャネル音声信号ＣＬｉｎと右チャネル音声信号ＣＲｉｎとを加算することによって、左チャネル音声信号ＣＬｉｎと右チャネル音声信号ＣＲｉｎとを合成してモノラル音声信号を生成する。
【００６４】
ステレオ／モノラル切り替え部７６には、音量調整部８２をさらに設けても良い。この音量調整部８２は、加算部８１によって得られたモノラル音声信号の音量を所定量だけ自動的に変更する。通常、人間によって聴きやすい音量は、両耳で受聴する場合と片方の耳のみで受聴する場合とでは異なる場合がある。また、ステレオ音声信号を両耳で聴く場合の適正音量とモノラル音声信号を片耳で聴く場合の適正音量とは異なることが多い。したがって、音量調整部８２によってモノラル音声信号の音量を自動的に調整することにより、より聞きやすい音声信号を出力することが出来る。
【００６５】
図１０は、音響出力制御部１０１内に音量調整制御部８３と記憶部８４をさらに設けた例を示している。
【００６６】
記憶部８４は、第１ヘッドホンＥＬおよび第２ヘッドホンＥＲの装着状態が片耳装着状態である期間中にユーザによって設定された音量設定値を格納する。すなわち、ユーザがモノラルモードで音声信号を受聴している期間中にユーザによって最終的に調整された音量値が記憶部８４に格納される。
【００６７】
第１ヘッドホンＥＬおよび第２ヘッドホンＥＲの装着状態が両耳装着状態から片耳装着状態に遷移される度、記憶部８４に格納されている音量設定値が音量調整制御部８３によって読み出され、音量調整部８２に送られる。音量調整部８２は、生成されたモノラル音声信号の音量が読み出された音量設定値に調整されるように、生成されたモノラル音声信号の音量を自動的に変更する。
【００６８】
図１０の構成は、音響出力制御部１０１をプレーヤ装置１０内に設ける構成（図３）、および音響出力制御部１０１を付加デバイス１２内に設ける構成（図４）のどちらに対しても適用することができる。特に図４の構成に適用した場合には、付加デバイス１２内に音量設定値が格納されるので、たとえ使用するプレーヤ装置が変更されたとしても、モノラル音声信号の音量を、前回のモノラルモード時にユーザが設定した適正な音量設定値に設定することができる。
【００６９】
図１１は、音響出力制御部１０１の変形例を示している。
【００７０】
図１１の音響出力制御部１０１は、上述のタイマ７１、比較部７２、比較部７３、タイマ７４、切り替え制御部７５、およびステレオ／モノラル切り替え部７６に加え、第１のオン／オフスイッチ７７と、第２のオン／オフスイッチ７８とを備えている。
【００７１】
第１のオン／オフスイッチ７７は、ステレオ／モノラル切り替え部７６の左チャネル音声出力信号ＣＬｏｕｔ用出力端子に接続されており、左チャネル音声出力信号ＣＬｏｕｔの出力を許可または禁止する。すなわち、制御信号ＰＬが論理“０”の時は、第１のオン／オフスイッチ７７はオフされ、これによって左チャネル音声出力信号ＣＬｏｕｔが出力されない状態となる。制御信号ＰＬが論理“１”の時は、第１のオン／オフスイッチ７７はオンされ、これによって左チャネル音声出力信号ＣＬｏｕｔの出力が許可される。
【００７２】
第２のオン／オフスイッチ７８は、ステレオ／モノラル切り替え部７６の右チャネル音声出力信号ＣＲｏｕｔ用出力端子に接続されており、右チャネル音声出力信号ＣＲｏｕｔの出力を許可または禁止する。すなわち、制御信号ＰＲが論理“０”の時は、第２のオン／オフスイッチ７８はオフされ、これによって右チャネル音声出力信号ＣＲｏｕｔが出力されない状態となる。制御信号ＰＲが論理“１”の時は、第２のオン／オフスイッチ７８はオンされ、これによって右チャネル音声出力信号ＣＲｏｕｔの出力が許可される。
【００７３】
第１ヘッドホンＥＬが人体に装着され、第２ヘッドホンＥＲが装着されていない場合には、制御信号ＰＬが論理“１”、制御信号ＰＲが論理“０”となる。この場合、第１のオン／オフスイッチ７７はオンされ、第２のオン／オフスイッチ７８はオフされる。したがって、ステレオ／モノラル切り替え部７６によって生成されるモノラル音声信号は、第１のオン／オフスイッチ７７を介して第１ヘッドホンＥＬにのみ送信され、第２ヘッドホンＥＲへのモノラル音声信号の送信は行われない。よって、第２ヘッドホンＥＲからの音漏れを防止することが出来る。
【００７４】
また、第１ヘッドホンＥＬが人体に装着されておらず、第２ヘッドホンＥＲが人体に装着されている場合には、制御信号ＰＬが論理“０”、制御信号ＰＲが論理“１”となる。この場合、第１のオン／オフスイッチ７７はオフされ、第２のオン／オフスイッチ７８はオンされる。したがって、ステレオ／モノラル切り替え部７６によって生成されるモノラル音声信号は、第２のオン／オフスイッチ７８を介して第２ヘッドホンＥＲにのみ送信され、第１ヘッドホンＥＬへのモノラル音声信号の送信は行われない。よって、第１ヘッドホンＥＬからの音漏れを防止することが出来る。
【００７５】
また、第１ヘッドホンＥＬおよび第２ヘッドホンＥＲの双方が人体に装着されていない場合には、制御信号ＰＬが論理“０”、制御信号ＰＲが論理“０”となる。この場合、第１のオン／オフスイッチ７７はオフされ、第２のオン／オフスイッチ７８もオフされる。したがって、第１ヘッドホンＥＬおよび第２ヘッドホンＥＲのどちらに対しても、音声信号は送信されない。よって、第１ヘッドホンＥＬおよび第２ヘッドホンＥＲそれぞれからの音漏れを防止することができる。
【００７６】
また、第１ヘッドホンＥＬおよび第２ヘッドホンＥＲの双方が人体に装着されていない場合、つまり制御信号ＰＬが論理“０”、制御信号ＰＲが論理“０”の場合には、切り替え制御部７５は、再生動作の停止を指示する停止制御信号（一時停止を指示する信号、またはスリープ状態への移行を指示する信号、等）を再生部１０２に送信して、再生部１０２の再生動作を停止する。これにより、第１ヘッドホンＥＬおよび第２ヘッドホンＥＲの双方が人体に装着されていない場合における消費電力を大幅に低減することができる。
【００７７】
以上のように、本実施形態によれば、両耳装着状態から片耳装着状態への遷移に応答して、ストレオモードからモノラルモードへ動作モードが自動的に切り替えられる。したがって、ユーザが手動操作でモノラルモードへ切り替えずとも、ユーザは片耳のみで違和感のない音声を受聴することができるようになる。
【００７８】
また、ステレオモードからモノラルモードへの切り替え時には、モノラル音声信号の音量が音量調整部８２によって自動的に変更され、ユーザが片耳でモノラル音声信号を受聴するのに適した音量に自動的に調整される。また、モノラルモードからステレオモードに戻ると、ステレオ音声信号は音量調整部８２を経由しないで第１ヘッドホンＥＬおよび第２ヘッドホンＥＲに送られるので、ステレオモードに適した音量に戻すことが出来る。
【００７９】
なお、音響出力制御部１０１の機能は、マスクロプロセッサまたはＤＳＰなどによって実行されるプログラムによって実現することも可能である。また、第１のオン／オフスイッチ７７および第２のオン／オフスイッチ７８を第１ヘッドホンＥＬ内および第２ヘッドホンＥＲ内にそれぞれ組み込むようにしてもよい。この場合、例えば、音響出力制御部１０１は、第１のオン／オフスイッチ７７および第２のオン／オフスイッチ７８をそれぞれオン／オフ制御する制御信号のみを第１ヘッドホンＥＬおよび第２ヘッドホンＥＲに供給すればよい。
【００８０】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００８１】
【図１】本発明の一実施形態に係る音響再生装置の構成を示すブロック図。
【図２】同実施形態の音響再生装置で用いられるヘッドホンを耳に装着した状態を示す図。
【図３】同実施形態の音響再生装置の具体的な構成の第１の例を示すブロック図。
【図４】同実施形態の音響再生装置の具体的な構成の第２の例を示すブロック図。
【図５】同実施形態の音響再生装置に設けられた音響出力制御部が各ヘッドホンとの無線通信を実行して装着検知信号を受信する様子を示す図。
【図６】同実施形態の音響再生装置で用いられるヘッドホンに設けられた接触センサの出力信号の例を示す図。
【図７】同実施形態の音響再生装置によって実行されるステレオ／モノラル切り替え処理の手順を示すフローチャート。
【図８】同実施形態の音響再生装置に設けられた音響出力制御部の構成例を示すブロック図。
【図９】図８の音響出力制御部に設けられたステレオ／モノラル切り替え部の構成例を示すブロック図。
【図１０】図８の音響出力制御部に設けられたステレオ／モノラル切り替え部の他の構成例を示すブロック図。
【図１１】同実施形態の音響再生装置に設けられた音響出力制御部の他の構成例を示すブロック図。
【符号の説明】
【００８２】
１００…音響再生装置、１０１…音響出力制御部、１０２…再生部、ＥＬ…第１ヘッドホン、ＥＲ…第２ヘッドホン、ＨＬ…第１接触センサ、ＨＲ…第２接触センサ、１０…プレーヤ装置、１２…付加回路、１１０，２０１，２０２…無線通信部、８１…加算部、８２…音量調整部、８４…記憶部、７７，７８…オン／オフスイッチ。
【図１】
2009152666.tif 000003
【図２】
2009152666.tif 000004
【図３】
2009152666.tif 000005
【図４】
2009152666.tif 000006
【図５】
2009152666.tif 000007
【図６】
2009152666.tif 000008
【図７】
2009152666.tif 000009
【図８】
2009152666.tif 000010
【図９】
2009152666.tif 000011
【図１０】
2009152666.tif 000012
【図１１】
2009152666.tif 000013